(57)【特許請求の範囲】
【請求項１】
ガス栓本体には、ガス配管が接続されるガス流入筒部と、これにせん収容部を介して連通し、且つガス器具のガス入口部に接続される回動自在なガス流出筒部とからなるガス流路が設けられ、前記せん収容部には前記ガス流路を開閉するせんが回動自在に収容され、前記せんは前記せん収容部の一方開放端に回動可能に設けられた操作つまみによって回動操作されるガス栓において、
前記ガス栓本体をＬ字状とし、前記ガス入口部と前記操作つまみを同一軸線上に設け、前記軸線と直交するように前記ガス流出筒部を突出させ、
前記操作つまみは、前記せん収容部の開放部を被嵌する円筒形胴部の先端に、指や工具を係止させて回動させるための凸部又は凹部が形成された形状を呈しており、
前記操作つまみの外周を包囲する円筒状のカバー筒部を設け、
前記カバー筒部は、前記ガス栓本体に着脱自在に装着される保護カバーであり、その内径は、前記円筒形胴部に外嵌する大きさに設定され、
前記カバー筒部の開放端から前記操作つまみを回動操作可能としたことを特徴とするガス栓。
【請求項２】
請求項１に記載のガス栓において、前記保護カバーは、弾性変形可能な素材からなり、前記ガス流入筒部の下流端から前記操作つまみの突出端までを覆う筒体であって、
前記筒体のガス流出筒部が突出している側にスリットが形成されていると共に、前記ガス流出筒部に対応する部分には、前記ガス流出筒部を突出させるための開口部が形成されていることを特徴とするガス栓。
【請求項３】
請求項１に記載のガス栓において、前記保護カバーは、弾性変形可能な素材からなり、前記ガス流入筒部の下流端から前記操作つまみの突出端までを覆う筒体であって、
前記筒体に、前記ガス流出筒部を突出させるための開口部を前記ガス流入筒部側に開放するようにＵ字状に設けたことを特徴とするガス栓。
【請求項４】
請求項１から３のいずれかに記載のガス栓において、前記操作つまみと前記せんとの間にそれぞれに対して相対回動阻止状態で、ガス栓本体に対して回動規制且つ抜け止め状態に取り付けられるドライブシャフトが介在されていることを特徴とするガス栓。
【発明の詳細な説明】
【技術分野】
【０００１】
本発明は、ガス栓、特に、ガス流路の一端にガス配管が接続され、他端はガス器具に接続される機器接続ガス栓に関する。
【背景技術】
【０００２】
図６は、ガス器具として、システムキッチンに取付けられるドロップインコンロ(2)へガスを供給する機器接続ガス栓を示している。
ドロップインコンロ(2)の下方に設けられているキャビネット(20)の奥側の構成壁(24)に設けた透孔(22)を介してキャビネット(20)内に引き込まれたガス配管(10)の先端に、継手(18)を介してガス栓本体(1)のガス流入筒部(11)が接続されると共に、ガス栓本体(1)のガス流出筒部(12)は、ニップル等の継手(14)を介して、ドロップインコンロ(2)のガス入口部(21)に接続される。尚、ガス流入筒部(11)からガス流出筒部(12)に至るガス流路内には、前記ガス流路を開閉するせんが回動自在に設けられてあり、前記せんが収容されているせん収容部の開放端には、前記せんを回動自在に操作する操作つまみ(3)が回動自在に設けられている。操作つまみ(3)の凸部(33)を支持して操作つまみ(3)を回動させることによって前記せんが回動され、前記ガス流路は開閉される。
【０００３】
この種の機器接続ガス栓では、簡単な構成でガス器具をガス栓本体(1)に直接接続することができるので、ガス栓本体(1)を壁や床に固定する必要がなく、ガス栓本体(1)をガス器具に接続するためのガスホースを省略することができ、ガス栓の取り付けや配管のための手間や費用を大幅に削減することが可能となる。
【特許文献１】特開平８−２６１３３７号公報
【発明の開示】
【発明が解決しようとする課題】
【０００４】
しかしながら、この種の機器接続ガス栓が、上述したように、システムキッチンのキャビネット(20)内に設けられる場合、前記キャビネット(20)内には、調理用具や調味料等の被収納物(4)が収納されるため、これら被収納物(4)の出し入れの際に、被収納物(4)が操作つまみ(3)の凸部(33)に当たったり、摺れたりして、操作つまみ(3)を回動させてしまうおそれがある。操作つまみ(3)が不用意に閉方向に回動させられて半開状態となると、所定のガス量が供給されず、ドロップインコンロ(2)が適切に使用することができないといった不都合が生じる。逆に、ドロップインコンロ(2)の故障により閉状態にしてあるせんが操作つまみ(3)の不用意な回動により開方向に回動してしまうと危険である。
【０００５】
本発明は、『ガス栓本体には、ガス配管が接続されるガス流入筒部と、これにせん収容部を介して連通し、且つガス器具のガス入口部に接続される回動自在なガス流出筒部とからなるガス流路が設けられ、前記せん収容部には、前記ガス流路を開閉するせんが回動自在に収容され、前記せんは前記せん収容部の一方開放端に回動可能に設けられた操作つまみによって回動操作されるガス栓』において、前記ガス栓に外力が作用しても、操作つまみが不用意に回動しないようにすることを課題とする。
【課題を解決するための手段】
【０００６】
請求項１に係る発明のガス栓は、『前記ガス栓本体をＬ字状とし、前記ガス入口部と前記操作つまみを同一軸線上に設け、前記軸線と直交するように前記ガス流出筒部を突出させ、
前記操作つまみは、前記せん収容部の開放部を被嵌する円筒形胴部の先端に、指や工具を係止させて回動させるための凸部又は凹部が形成された形状を呈しており、
前記操作つまみの外周を包囲する円筒状のカバー筒部を設け、
前記カバー筒部は、前記ガス栓本体に着脱自在に装着される保護カバーであり、その内径は、前記円筒形胴部に外嵌する大きさに設定され、
前記カバー筒部の開放端から前記操作つまみを回動操作可能とした』ことを特徴とするものである。
上記技術的手段は次のように作用する。
操作つまみは、せん収容部の開放部を被嵌する円筒形胴部の先端に、指や工具を係止させて回動させるための凸部又は凹部が形成された形状を呈している。この発明のものでは、前記胴部に外嵌するようにカバー筒部が設けられていると共に、前記胴部に続く前記凸部や凹部をも前記カバー筒部によって包囲される態様としている。よって、ガス栓がドロップインコンロの下方のキャビネット内に設けられている場合であって、前記ガス栓に前記キャビネット内に収納されている被収納物が当たったり摺れたりしても、操作つまみはカバー筒部で全体的に覆われているから、操作つまみを回動させる力が作用することはない。又、操作つまみの回動操作は、カバー筒部の開放端から指や工具を差し入れることにより実施することが出来る。
尚、操作つまみに、せんの回動角度を規制するドライブシャフトとしての機能を設けても良い。
【０００８】
また、前記カバー筒部は、前記ガス栓本体の外周全体を包囲するように着脱自在に装着される保護カバーであり、操作つまみとガス栓本体を全体的に包囲する保護カバーが別途用意され、ガス配管とガス器具との間に接続されている既設のガス栓に、前記保護カバーを後付することができる。
【０００９】
さらに、ガス栓本体をＬ字状とし、前記ガス入口部と前記操作つまみを同一軸線上に設け、前記軸線と直交するように前記ガス流出筒部を突出させたから、ドロップインコンロのガス配管に使用した場合にはガス栓の飛び出し量を短くできる。
【００１０】
尚、操作つまみは、せんに直接相対回動阻止状態に接続されていても良く、又、請求項４に係る発明のガス栓のように、請求項１から３のいずれかに記載のガス栓において、『前記操作つまみと前記せんとの間にそれぞれに対して相対回動阻止状態で、ガス栓本体に対して回動規制且つ抜け止め状態に取り付けられるドライブシャフトが介在されている』構成としても良い。尚、この場合、ドライブシャフトを貫通するようにスプリングピンも設けられてあり、スプリングピンとドライブシャフトによって、せんの回動角度を規制することができる。
【発明の効果】
【００１１】
以上のように、請求項１に係る発明によれば、カバー筒部付きのガス栓をドロップインコンロの下方のキャビネット内に設けた場合に、前記ガス栓にキャビネット内の被収納物が当たったり擦れたりしても、操作つまみはカバー筒部で保護されているから、操作つまみに回動方向の力が直接作用しない。よって、せんによるガス流路の開閉を確実に維持することができるから、ガス器具の使用中にガス栓が不用意に半開状態や閉状態になってガス器具の使用に支障を来たしたり、逆に、閉状態のガス栓が不用意に半開状態や開状態になる危険が生じたりすることがない。
【００１２】
又、操作つまみの操作は、カバー筒部の開放端から容易に行うことができる。
【００１３】
また、カバー筒部としての保護カバーは、ガス栓本体に対して脱着自在であるから、既設のガス栓にも装着可能となる。よって、カバー筒部の用途が広がり、様々な箇所に設置されているガス栓の操作つまみを保護することができる。
【００１４】
また、ガス栓本体をＬ字状とし、前記ガス入口部と前記操作つまみを同一軸線上に設け、前記軸線と直交するように前記ガス流出筒部を突出させたものであり、ドロップインコンロのガス配管に使用した場合にはガス栓の飛び出し量を短くでき、キャビネット内が広く使える。
【００１５】
また、請求項４に係る発明によれば、操作つまみとドライブシャフトが直列に配設されるので、せん収容部内へのゴミ等の侵入を確実に防止できる。操作つまみの正面からの外部衝撃を操作つまみとドライブシャフトで受け止めることができ、せんに衝撃力が作用することがない。
【発明を実施するための最良の形態】
【００１６】
以下に、本発明を実施するための最良の形態について添付図面を参照しながら説明する。
図１は、参考例としてのガス栓の断面図である。
この参考例のガス栓は、図６に示した従来のもののように、システムキッチンのドロップインコンロ(2)にガスを供給するためのガス栓であり、ドロップインコンロ(2)の下方のキャビネット(20)の奥側の構成壁(24)からキャビネット(20)内に引き込んだガス配管(10)にガス栓本体(1)のガス流入筒部(11)が接続されると共に、ガス流出筒部(12)は、ガス流出筒部(12)に対して回転自在に接続されている継手(14)を介して、ドロップインコンロ(2)のガス入口部(21)に直接接続される形式の機器接続ガス栓とする。
【００１７】
ガス栓本体(1)には、前記キャビネットの奥側へ水平に延びるガス流入筒部(11)と、これに連通し且つせん収容部(16)を介して上方へ垂直に延びるガス流出筒部(12)によって、Ｌ字状のガス流路(15)が形成されてあり、せん収容部(16)はキャビネットの前方の扉(23)（図６参照）側に開放すると共に、せん収容部(16)には、ガス流入筒部(11)及びガス流出筒部(12)に連通するＬ字状のガス通過孔(17a)が形成されているテーパ状のせん(17)が、ガス流入筒部(11)に続く水平線を回動軸として、回動自在に収容されている。
【００１８】
せん収容部(16)の前方開放端からは筒状部(13)が前方へ連設されてあり、筒状部(13)を構成している周壁の対向する各位置には、筒状のスプリングピン(30)の両端が貫通する透孔(13a)(13b)が形成されている。
せん(17)の前面側の頂面には、コイルバネ(19)を介してドライブシャフト(31)が、せん(17)と相対回動阻止状態に連結されている。
【００１９】
ドライブシャフト(31)は、せん(17)に連結された状態で、筒状部(13)内に収容される略円柱体であり、スプリングピン(30)と組み合わせることで、せん(17)の回動角度を規制する回動規制部を構成する。そして、ドライブシャフト(31)の前面には、操作つまみ(3)が相対回動阻止状態にネジ止めされる。
【００２０】
操作つまみ(3)は、ドライブシャフト(31)の直径と同径の胴部(34)の頂面に、操作つまみ(3)を回動させる際に指を支持させる凸部(32)を前方へ突設させた形状となっており、この凸部(32)を指で支持して、操作つまみ(3)を回動させると、ドライブシャフト(31)を介して、せん(17)が同方向に回動し、ガス栓本体(1)内のガス流路(15)を開閉させることができる。
尚、操作つまみ(3)の回動方向及び回動角度は、ドライブシャフト(31)とスプリングピン(30)との関係により所定角度に設定されている。
【００２１】
この参考例のものでは、金属製のガス栓本体(1)内のせん収容部(16)の開放端を操作つまみ(3)側へ延長形成させて、ドライブシャフト(31)及び操作つまみ(3)の胴部(34)を覆うと共に、そのまま、操作つまみ(3)の凸部(32)の高さにまで延長させることにより、操作つまみ(3)を全体的に包囲するカバー筒部(40)を構成している。
【００２２】
カバー筒部(40)は、ガス栓本体(1)と同じ金属製素材から構成されていることから、ガス栓本体(1)に強い外的衝撃が加えられても、操作つまみ(3)に影響が及ぶことはなく、操作つまみ(3)を確実に保護することができる。よって、操作つまみ(3)が損傷したり不用意に回動したりする不都合は生じない。
【００２３】
ガス流路(15)を開閉させる際には、カバー筒部(40)の前方開放端から指を凸部(32)に係止させ、操作つまみ(3)を回動させれば容易にせん(17)を回動操作することができる。
図２に示すものは、第２番目の参考例のガス栓の断面図である。
このものでは、上述したドライブシャフト(31)をそのまま操作つまみ(3)として機能させるようにしたもので、ドライブシャフト(31)の頂面に、操作つまみ(3)の凸部(32)を突設させている。このものでは、筒状部(13)は、ドライブシャフト(31)の高さ分だけ延長させればいいから、ガス栓本体(1)の前方への突出長さを短く設定することができる。
【００２４】
よって、ドロップインコンロ(2)の下方のキャビネット(20)内に設けられたガス栓の場合、ガス入口部(21)に接続されているガス栓本体(1)の前方への突出度合いを小さくすることができるから、キャビネット(20)を広く利用することができると共に、被収納物の出し入れの際に被収納物(4)がガス栓本体(1)に当たりにくくなる。
【００２５】
図３に示すものは、本願発明の実施の形態のガス栓であり、ガス栓本体(1)に、ガス配管(10)に接続されたガス流入筒部(11)からガス入口部(21)に接続されるガス流出筒部(12)に至るＬ字状のガス流路(15)と、ガス流路(15)を開閉するせん(17)を収容させたせん収容部(16)が設けられていると共に、せん収容部(16)の前方開放部に連設されている筒状部(13)に、ドライブシャフト(31)とスプリングピン(30)を設け、せん(17)はドライブシャフト(31)を介して操作つまみ(3)に相対回動阻止状態に連結させると共に、操作つまみ(3)は、前記筒状部(13)に回動自在に外嵌させた構成の既存のガス栓に、カバー筒部として、保護カバー(41)を装着した構成のものである。
【００２６】
保護カバー(41)は弾性変形可能な素材からなり、ガス流入筒部(11)の下流端から操作つまみ(3)の頂面に突設させた凸部(32)の突出端までを覆う筒体からなり、図４に示すように、ガス流出筒部(12)が突出している側にスリット(43)が形成されていると共に、ガス流出筒部(12)に対応する部分には、ガス流出筒部(12)を突出させるための開口部(42)が形成されている。
【００２７】
この実施の形態で採用した保護カバー(41)は弾性変形可能な材質から構成されているため、スリット(43)の左右辺が離反する方向に、保護カバー(41)を弾性変形させながら、開口部(42)がガス流出筒部(12)に対応させて、ガス栓本体(1)に下方から装着させれば良い。このものでは、既存のガス栓に容易に保護カバー(41)を取り付けることが可能となるから、予めキャビネット内に設置されているガス栓に保護カバー(41)を装着させて、操作つまみ(3)の、外的衝撃による損傷を防止すると共に不用意な回動を阻止することができる。
【００２８】
又、ガス流出筒部(12)は保護カバー(41)から露出させているから、ガス流出筒部(12)をガス入口部(21)に接続する際の接続作業時に保護カバー(41)が邪魔になることなく、ガス流出筒部(12)に接続されている継手(14)を回動させることができる。
【００２９】
尚、保護カバー(41)は、操作つまみ(3)を被覆することができれば、他の形状の筒体でも良く、例えば、図５に示すように、スリット(43)を設けずに、開口部(42)をガス流入筒部(11)側に開放するようにＵ字状に設け、開口部(42)を保護カバー(41)の上面に位置させた状態で、操作つまみ(3)側から差し込んで取り付ける形式としても良い。
【００３０】
上述した参考例または実施の形態のガス栓のように、カバー筒部(40)又は保護カバー(41)で、ガス栓本体(1)の操作つまみ(3)全体を包囲することにより、図６に示すように、ドロップインコンロ(2)の下方のキャビネット(20)内にて使用する場合に、キャビネット(20)内に収容されている被収納物(4)の出し入れの際に、被収納物(4)がガス栓に当たったり、擦れたりしても、操作つまみ(3)に直接当たったり擦れたりすることがないので、操作つまみ(3)は外的衝撃から保護されると共に、不用意に回動させられることはない。よって、せん(17)が半開状態となってドロップインコンロ(2)の燃焼に不具合が生じる不都合を確実に防止することができる。
【００３１】
又、ガス栓の操作つまみ(3)をキャビネット(20)の扉(23)側に向け、ガス配管(10)を接続させるガス流入筒部(11)をキャビネット(20)の奥側の構成壁(24)に向けて、ガス配管(10)をガス栓の後方から配管することにより、キャビネット(20)内に引き出されるガス配管(10)の長さは最短となる。これにより、キャビネット(20)を広く利用することができ、被収納物(4)がガス配管(10)にぶつかって収納しにくくなるといった不都合が解消される。
【００３２】
尚、操作つまみ(3)の開閉操作は、カバー筒部(40)又は保護カバー(41)の開放部から容易に行うことができ、操作つまみ(3)の頂面に設ける操作部としては、上記参考例または実施の形態の操作つまみ(3)のように指を支持可能な凸部(32)とするほか、工具を差し込んで回動させる溝部を形成しておいても良い。
【図面の簡単な説明】
【００３３】
【図１】本発明の第１番目の参考例のガス栓の断面図。
【図２】本発明の第２番目の参考例のガス栓の断面図。
【図３】本発明の実施の形態のガス栓の断面図。
【図４】本発明の実施の形態のガス栓に採用した保護カバーの説明図。
【図５】本発明の実施の形態のガス栓に採用可能な保護カバーの他の例の説明図。
【図６】従来のガス栓の使用状態を示す説明図。
【符号の説明】
【００３４】
(1) ・・・・・・・・ガス栓本体
(10)・・・・・・・・ガス配管
(11)・・・・・・・・ガス流入筒部
(12)・・・・・・・・ガス流出筒部
(15)・・・・・・・・ガス流路
(16)・・・・・・・・せん収容部
(17)・・・・・・・・せん
(2) ・・・・・・・・ガス器具（ドロップインコンロ）
(21)・・・・・・・・ガス入口部
(3) ・・・・・・・・操作つまみ
(40)(41)・・・・・・カバー筒部(保護カバー)
【図１】
0004848351.tif 000002
【図２】
0004848351.tif 000003
【図３】
0004848351.tif 000004
【図４】
0004848351.tif 000005
【図５】
0004848351.tif 000006
【図６】
0004848351.tif 000007